【手続補正書】
【提出日】平成27年2月17日(2015.2.17)
【手続補正１】
【補正対象書類名】明細書
【補正対象項目名】発明の名称
【補正方法】変更
【補正の内容】
【発明の名称】画像形成装置およびカートリッジ
【手続補正２】
【補正対象書類名】明細書
【補正対象項目名】０００６
【補正方法】変更
【補正の内容】
【０００６】
本発明は上記問題に鑑みてなされたものである。その目的とする処は、移動可能な把持部が配設されるカートリッジであって、運搬時に省スペースとなり、カートリッジを装置本体から着脱時には把持がしやすいカートリッジと、これを有する画像形成装置を提供することである。
【手続補正３】
【補正対象書類名】明細書
【補正対象項目名】０００７
【補正方法】変更
【補正の内容】
【０００７】
上記の目的を達成するための本発明の画像形成装置の代表的な構成は、画像形成装置本体に着脱可能なカートリッジと、前記カートリッジを装着するための開口部を開閉可能に設けられた開閉部材と、を備える画像形成装置であって、前記カートリッジは、枠体と、前記枠体に備えられ前記カートリッジの着脱の際に把持される把持部と、を有し、前記把持部は、前記把持部が前記枠体の端部から突出した第一の位置と、前記第一の位置よりも前記把持部が前記枠体の近傍となり且つ前記カートリッジが前記画像形成装置本体に装着された際に前記開閉部材と接触する第二の位置と、前記第二の位置よりも前記把持部が前記枠体の近傍となる第三の位置とをとることが可能であって、前記把持部は、前記第三の位置において、前記枠体に係止されることを特徴とする。
【手続補正４】
【補正対象書類名】特許請求の範囲
【補正対象項目名】全文
【補正方法】変更
【補正の内容】
【特許請求の範囲】
【請求項１】
画像形成装置本体と、
前記画像形成装置本体に着脱可能なカートリッジと、
を備える画像形成装置であって、
前記画像形成装置本体は、
前記カートリッジを装着するための開口部を開閉する開閉部材を有し、
前記カートリッジは、
枠体と、
前記枠体に備えられ前記カートリッジの着脱の際に把持される把持部と、を有し、
前記把持部は、前記把持部が前記枠体から突出した第一の位置と、
前記第一の位置よりも前記把持部が前記枠体の近傍となり且つ前記カートリッジが前記画像形成装置本体に装着され前記開閉部材が閉じられた際に前記開閉部材と接触する第二の位置と、
前記第二の位置よりも前記把持部が前記枠体の近傍となる第三の位置とをとることが可能であって、
前記把持部は、前記第三の位置において、前記枠体に係止されることを特徴とする画像形成装置。
【請求項２】
前記把持部が前記第三の位置にある前記カートリッジを前記画像形成装置本体に装着し、前記開閉部材を閉じることによって、前記把持部は前記第三の位置から前記第二の位置へ移動し前記開閉部材と接触することを特徴とする請求項１に記載の画像形成装置。
【請求項３】
前記画像形成装置本体は、前記把持部が第三の位置にある前記カートリッジを前記画像形成装置本体に装着した際に、前記把持部と接触して前記把持部と前記枠体との係止状態を解除する係止解除部を有することを特徴とする請求項１または２に記載の画像形成装置。
【請求項４】
前記係止解除部は、前記カートリッジが前記開口部の内部に移動する過程で、前記把持部と接触することを特徴とする請求項３に記載の画像形成装置。
【請求項５】
前記係止解除部は前記開閉部材に設けられ、前記開閉部材が開状態から閉状態となる過程で、前記把持部と接触することを特徴とする請求項３に記載の画像形成装置。
【請求項６】
前記カートリッジが前記画像形成装置本体に装着されている際、
前記開閉部材が閉状態から開状態になることで、前記把持部は前記第二の位置から前記第一の位置と移動することを特徴とする請求項１乃至５のいずれか１項に記載の画像形成装置。
【請求項７】
前記開閉部材が閉状態から開状態になるとき、前記把持部はその自重によって前記第二の位置から前記第一の位置へ移動することを特徴とする請求項６に記載の画像形成装置。
【請求項８】
前記開閉部材は、前記カートリッジが前記画像形成装置本体に装着された際に前記把持部と接触して、前記把持部を第二の位置に保持する把持部接触部を有し、
前記把持部接触部は弾性部材であることを特徴とする請求項１乃至７のいずれか１項に記載の画像形成装置。
【請求項９】
前記把持部は、回転することで前記第一の位置から前記第二の位置を経由して前記第三の位置へと移動可能となることを特徴とする請求項１乃至８のいずれか１項に記載の画像形成装置。
【請求項１０】
前記画像形成装置は、
感光体ドラムと、
複数の前記カートリッジと、
を備えて、カラー画像を形成し、
前記複数のカートリッジは、前記感光体ドラムに形成された潜像を現像するための現像カートリッジであることを特徴とする請求項１乃至９のいずれか１項に記載の画像形成装置。
【請求項１１】
カートリッジを装着するための開口部を開閉可能に設けられた開閉部材を備える画像形成装置本体に着脱可能なカートリッジであって、
枠体と、
前記枠体に備えられ前記カートリッジの着脱の際に把持される把持部と、を有し、
前記把持部は、前記把持部が前記枠体から突出した第一の位置と、
前記第一の位置よりも前記把持部が前記枠体の近傍となり且つ前記カートリッジが前記画像形成装置本体に装着され前記開閉部材が閉じられた際に前記開閉部材と接触する第二の位置と、
前記第二の位置よりも前記把持部が前記枠体の近傍となる第三の位置とをとることが可能であって、
前記把持部は、前記第三の位置において、前記枠体に係止されることを特徴とするカートリッジ。
【請求項１２】
前記把持部が前記第三の位置にある前記カートリッジを前記画像形成装置本体に装着し、前記開閉部材を閉じることによって、前記把持部は前記第三の位置から前記第二の位置へ移動し前記開閉部材と接触することを特徴とする請求項１１に記載のカートリッジ。
【請求項１３】
前記把持部は、前記把持部が第三の位置にあるカートリッジを前記画像形成装置本体に装着した際に、前記画像形成装置本体に設けられた係止解除部と接触する係止解除部接触部を有し、前記係止解除部が前記係止解除部接触部と接触することで、前記把持部が前記枠体に係止された状態が解除されることを特徴とする請求項１１または１２に記載のカートリッジ。
【請求項１４】
前記カートリッジが前記開口部の内部に移動する過程で、前記係止解除部接触部は前記係止解除部と接触することを特徴とする請求項１３に記載のカートリッジ。
【請求項１５】
前記係止解除部は前記開閉部材に設けられ、前記開閉部材が開状態から閉状態となる過程で、前記係止解除部接触部は前記係止解除部と接触することを特徴とする請求項１３に記載のカートリッジ。
【請求項１６】
前記カートリッジが前記画像形成装置本体に装着されている際、
前記開閉部材が閉状態から開状態になることで、前記把持部は前記第二の位置から前記第一の位置と移動することを特徴とする請求項１１乃至１５のいずれか１項に記載のカートリッジ。
【請求項１７】
前記開閉部材が閉状態から開状態になるとき、前記把持部はその自重によって前記第二の位置から前記第一の位置へ移動することを特徴とする請求項１６に記載のカートリッジ。
【請求項１８】
前記把持部は、回転することで前記第一の位置から前記第二の位置を経由して前記第三の位置へと移動可能となることを特徴とする請求項１１乃至１７のいずれか１項に記載のカートリッジ。
【請求項１９】
前記カートリッジは、感光体ドラムに形成された潜像を現像するための現像カートリッジであることを特徴とする請求項１１乃至１８のいずれか１項に記載のカートリッジ。